(57)【要約】 【課題】撮影装置全体を回転させなくても縦撮り撮影、横撮り撮影を自在に行なうことができる撮影装置を提案する。【解決手段】撮像ユニット１０に回動支持部１０１を設けてその回動支持部１０１をカメラ本体１１の装着部１１１に装着する。さらに回動支持部１０１の周方向に幅の異なる孔１０１１をいくつか並べるようにして設ける。カメラ本体１１側に設けたセンサ１１Ａが各孔の幅１１０１を順次検出していくことにより撮像ユニット１０が回動されていることと回動されている方向との双方を検出する。不図示のＣＰＵがその検出結果を受けて撮像ユニット１０の姿勢を検知して縦撮り撮影の姿勢になっているか、横撮り撮影になっているかを判定する。【選択図】図１
2007134960.tif 000002
【特許請求の範囲】
【請求項１】
撮像素子を備えた撮像ユニットと、該撮像ユニットが装着される装着部を有するカメラ本体とを備えた撮影装置において、
前記装着部は、前記撮像ユニットが装着された状態にあるときに該撮像ユニットを回動自在に保持するものであって、
前記撮像ユニットは、該撮像ユニットの姿勢を検出する姿勢検出部を備えたものであることを特徴とする撮影装置。
【請求項２】
前記カメラ本体は、さらに、前記撮像素子で生成された画像データを受け取り該画像データを信号処理して記録メディアに記録する画像処理手段を備えたものであって、
前記画像処理手段は、前記画像データとともに前記姿勢検出部での姿勢検出結果を記録メディアに記録するものであることを特徴とする請求項１記載の撮影装置。
【請求項３】
前記画像処理手段は、前記姿勢検出部での姿勢検出結果に応じて該撮像素子で生成された画像データのアスペクト比を定めて前記記録メディアに画像データを記録するものであることを特徴とする請求項２記載の撮影装置。
【発明の詳細な説明】
【技術分野】
【０００１】
本発明は、撮像素子を備えた撮像ユニットと、その撮像ユニットが装着される装着部を有するカメラ本体とを備えた撮影装置に関する。
【背景技術】
【０００２】
通常、撮影装置で撮影を行なうときには撮影画面が横長になるように構えて撮影を行なうことが多い。以降の説明においては撮影画面が横長になるように構えて撮影を行なうことを横撮り撮影という。このように横撮り撮影を行なって被写体像をフィルムに結像させた後、そのフィルムを現像して写真にすると横方向の長さが長い被写体像が得られる。また撮影画面が横長になるように構えていたときの撮影装置の姿勢を９０度回転させて撮影を行なうと、横撮り撮影のときとは異なり、縦方向の長さが長い画像が得られる。以降の説明においてはこのような撮影を上記横撮り撮影に対して縦撮り撮影という。
【０００３】
このように撮影装置で撮影が行われるときには、特許文献１の明細書中の記載にもあるように被写体の構図に応じて撮影装置の姿勢をそのままにして横撮り撮影が行なわれたり、撮影装置全体を９０度回動して縦撮り撮影が行なわれたりする。しかし、縦撮り撮影と横撮り撮影との双方があまり頻繁に行なわれるようになると、撮影者にあっては撮影装置のボディを回動するという操作がやや面倒に感じられることがある。
【０００４】
ところで、いろいろな種類の撮像ユニットのうちの一つが交換自在にカメラ本体に装着される交換型の撮影装置がある。最近では、このような交換型の撮影装置の撮像ユニットに上記撮像素子が組み込まれたものまでが提案されるようになってきている。このように撮像ユニットに撮像素子までもが組み込まれるようになってくると、カメラ本体側は撮像素子で生成した画像を記録メディアに記録したり、表示画面上に表示したりするだけのものになる。
【特許文献１】特開平０７−３１９０４１号公報
【発明の開示】
【発明が解決しようとする課題】
【０００５】
本発明は、上記事情に鑑み、撮影装置全体を回動しなくても簡単な操作で縦撮り撮影、横撮り撮影を自在に行なうことができる撮影装置を提供することを目的とする。
【課題を解決するための手段】
【０００６】
上記目的を達成する本発明の撮影装置は、撮像素子を備えた撮像ユニットと、その撮像ユニットが装着される装着部を有するカメラ本体とを備えた撮影装置において、
上記装着部は、上記撮像ユニットが装着された状態にあるときにその撮像ユニットを回動自在に保持するものであって、
上記撮像ユニットは、その撮像ユニットの姿勢を検出する姿勢検出部を備えたものであることを特徴とする。
【０００７】
上記本発明の撮影装置によれば、上記撮像ユニットがカメラ本体に対して回動され横撮り撮影、あるいは縦撮り撮影が行なわれる。
【０００８】
そうすると、いままでのように撮影装置を９０度回動するという操作を行なう代わりに上記カメラ本体の姿勢はそのままにしておいて上記撮像ユニットの方のみを回動することによって縦撮り撮影あるいは横撮り撮影を自在に行なうことができるようになる。
【０００９】
また上記撮像ユニットが上記姿勢検出部を備えていると、上記撮像ユニットが回動されたときの姿勢が上記カメラ本体に通知されるようになるので、上記カメラ本体はそのときそのときの姿勢に応じて縦撮り撮影であるか、横撮り撮影であるかを認識することができるようになる。
【００１０】
以上説明したように、撮影装置全体を回転させなくても簡単な操作で縦撮り撮影、横撮り撮影を自在に行なうことができる撮影装置が実現する。
【００１１】
ここで、上記カメラ本体は、さらに、上記撮像素子で生成された画像データを受け取りその画像データを信号処理して記録メディアに記録する画像処理手段を備えたものであって、
上記画像処理手段は、上記画像データとともに上記姿勢検出部での姿勢検出結果を記録メディアに記録するものであることが好ましい。
【００１２】
上記画像処理手段が、上記画像データとともに上記姿勢検出結果を記録メディアに記録するものであるとすると、上記の如く、例えば縦撮り撮影であるか、横撮り撮影であるかを示す姿勢検出結果が上記記録メディアに上記画像データとともに記録される。
【００１３】
上記のように上記画像処理手段が、上記記録メディアに上記画像データとともに上記姿勢検出結果を記録するようになっていると、その記録メディア内の画像データが読み出されて画像処理が行なわれようとするときにその姿勢検出結果が参照され好適な画像処理が行なわれる。
【００１４】
また上記画像処理手段が、上記姿勢検出部での姿勢検出結果に応じてその撮像素子で生成された画像データのアスペクト比を定めて上記記録メディアに画像データを記録するものであるとなお良い。
【００１５】
上記撮像素子にはアスペクト比が異なるものがあり、カメラ本体が、撮像ユニットにどのような種類の撮像ユニットが配備されているかが分からない場合がある。
【００１６】
そこで上記記録メディアに記録するときにアスペクト比つまり縦横比を定めて記録メディアに記録するようにしておくと、再生時に画像処理部によってアスペクト比を割り出すような処理を行なわなくてもすぐに画像の方向性（縦画像、横画像）が分かり再生処理やプリント処理等が簡単になるという効果が得られる。
【発明の効果】
【００１７】
以上、説明したように、撮影装置全体を回転させなくても簡単な操作で縦撮り撮影、横撮り撮影を自在に行なうことができる撮影装置が実現する。
【発明を実施するための最良の形態】
【００１８】
以下、本発明の実施の形態について説明する。
【００１９】
図１は本発明の一実施形態である撮影装置１の外観を示す図である。
【００２０】
図１（ａ）には撮像ユニット１０が装着されるカメラ本体１１が示されており、図１（ｂ）にはその撮像ユニット１０が示されている。また図１（ｃ）にはカメラ本体１１が備える装着部１１１に撮像ユニット１０が装着されたときの装着部１１１付近の構成が抜き出されて示されている。
【００２１】
図１（ａ）に示す撮影装置１は、撮像素子を備えた撮像ユニット１０（図１（ｂ）参照）と、その撮像ユニット１０が装着されるカメラ本体１１とを備えている。その撮像ユニット１０には、カメラ本体１１に装着されたときにカメラ本体１１の装着部１１１に係合することによって撮像ユニット１０を回動自在に支持する回動支持部１０１が設けられている。その回動支持部１０１には、周方向に沿って姿勢検出用の孔１０１１がいくつか設けられていて、その姿勢検出用の孔１０１１それぞれは、装着部１１１の円周（１／４の円弧上）に沿って並べて設けられている。
【００２２】
一方カメラ本体１１が備える装着部１１１には撮像ユニット１０が装着されたときに上記いくつかの孔１０１１のうちの一つの孔と対向する位置にセンサ（ラインセンサなど）１１Ａが設けられている。この実施形態においては、これらの孔１０１１の回転方向の幅をそれぞれ異なる長さにして、装着部１１１側のセンサ１１Ａでそれらの孔の幅の違いを検出することによって撮像ユニット１０の姿勢がどのようになっているかをカメラ本体１１側の後述するＣＰＵで検知するようにしている。本実施形態においては、この回動支持部１０１に設けられたいくつかの孔１０１１が本発明にいう姿勢検出部にあたる。なお、図１（ａ）には、この撮影装置が撮影装置として機能するために必要な部品として他にカメラ本体１１が備えるシャッタボタンＳとグリップＧとフラッシュ発光窓Ｆが図示されている。
【００２３】
図２は、カメラ本体１１側の装着部１１１の構成の詳細を示す断面図である。
【００２４】
図２（ａ）には、撮像ユニット１０がカメラ本体１１に装着された状態にあるときにその撮影装置１を中央で切断して切断面を側方から見た図が示されており、図２（ｂ）には、図２（ａ）の図を、Ａ−Ａ´で示す矢印の方向から見た矢視図が示されている。図２（ｃ）には、図２（ａ）の図を、Ｂ−Ｂ´で示す矢印の方向から見た矢視図が示されている。図２（ｄ）には、図２（ａ）の図を、Ｃ−Ｃ´で示す矢印の方向から見た矢視図が示されている。
【００２５】
図２（ｂ）には、撮像ユニット１０の回動をほぼ９０度範囲内に規制する構造が示されており、図２（ｃ）には、ユーザによって撮像ユニット１０が回動されているときにユーザに対してクリック感を与える構造が示されており、図２（ｄ）には、撮像ユニットが回動されたときに横撮り撮影、縦撮り撮影のうちのどちらの姿勢にあるかをどのようにして本体側のＣＰＵに検知させるかの構成が示されている。
【００２６】
図２（ａ）に示す様に撮像ユニット１０の回動支持部１０１がカメラ本体１１の装着部１１１に装着されることにより撮像ユニットがカメラ本体に対して回動自在になるように保持される。
【００２７】
本実施形態においては、回動支持部１０１の円周上の一部に凹部１０２が形成されていてその凹部１０２が装着部側の凸部１１２と係合することによって撮像ユニット１０の回転範囲が略９０度の範囲に規制されるようになっている。このように撮像ユニットの回動の範囲を規制しておくと、例えばカメラ本体１１側の凸部１１２と凹部１０２の右側端部Ｐとが係合するように撮像ユニット１１が回動され切った状態にあるときには横撮り撮影になって、その状態とは逆の端部Ｑと凸部１０２とが係合するところまで撮像ユニットが回動され切った状態（図中点線で示した部分）にあるときには縦撮り撮影になる。
【００２８】
このように横撮り撮影になるか、縦撮り撮影になるかは撮像ユニットの姿勢によって決まるので、この例においては撮像ユニット１０の端部側に設けられている回動支持部１０１に撮像ユニット１０の姿勢をカメラ本体側に設けたセンサ１１Ａに検出させるためのいつくかの孔１０１１が設けられている。また、この回動支持部１０１にはユーザが撮像ユニット１０をカメラ本体１１の装着部１１１に装着したままその撮像ユニット１０を回動したときにクリック感を与えるためのクリック構造も設けられている。この例ではカメラ本体１１側に設けられた突片１１５とその突片１１５を回動支持部１０１側に付勢するばね１１６とでクリック構造を実現している。図２（ａ）、図２（ｃ）に示すように回動支持部１０１側にはその突片１１５と係合する孔１０３が上記姿勢検出用の孔１０１１とは別に周方向に沿って設けられており、撮像ユニット１０が回動されているときにそれらの孔１０３それぞれが順次突片１１５と係合すると係合する度に心地よいクリック感がユーザに与えられるようになっている。
【００２９】
さらに、図２（ｂ）に示す凹部１０２の一方の端部側Ｐが凸部１１２と係合するように撮像ユニット１０が回動され切った状態にあるときに撮影が行なわれたら、その撮像ユニット１０の姿勢が横撮り撮影に対応する姿勢になっていることがセンサ１１Ａにより検出され検出された姿勢検出結果が制御基板１１４上の後述するＣＰＵに供給されるようにもなっている。本実施形態においては、後述するＣＰＵが、シャッタボタンＳが押されたことを受けて画像処理部（ＣＰＵとともに制御基板１１４に実装されている）に横撮り撮影であるということを通知して横長のアスペクト比（例えば縦３：横４、または縦９：横１６）になるように画像データのアスペクト比を定めさせて記録メディアに画像データを記録させるようにしている。
【００３０】
また図１（ｂ）に示す凹部１０２の他端部Ｑが凸部１１２と係合するように撮像ユニット１０が回動され切って撮影が行なわれたら、その撮像ユニット１０の姿勢が縦撮り撮影であることがセンサ１１Ａにより検出され検出された姿勢検出結果が後述するＣＰＵに供給される。このときにもＣＰＵが、シャッタボタンが押されたことを受けて画像処理部に縦撮り撮影であるということを通知して横長のアスペクト比（例えば縦３：横４、または縦９：横１６）になるように画像データのアスペクト比を定めさせて画像データを記録メディアに記録させるようにしている。
【００３１】
このように画像データを記録するようにしておくと、再生時に記録メディアから画像データを読み出すときに画像の縦横比が横長であることがすぐに画像処理部で認識されるようなるので再生処理が簡素化されるという効果が得られる。
【００３２】
また撮影装置の大半は、アスペクト変換処理やリサイズ処理などのいろいろな画像処理を行なうことが自在な画像処理部を備えているものが多いので、アスペクト比を定めて記録するようなことを行なわなくても、姿勢検出結果のみを画像データとともに記録しておいて再生時に画像処理部でその姿勢検出結果を画像データとともに読み出して画像データの内容からアスペクト比を割り出す処理等を行なうようにしておいても良い。
【００３３】
なお、例えば既存の技術であるスリップリングの構造をカメラ本体１１側の装着部１１１と撮像ユニット１０との双方が備える電気接点ＩＴ，ＢＴ部の構造に適用することによって撮像ユニット１０が回動されても撮像ユニット１０とカメラ本体１１との双方の電気接点の接続がそのまま維持されるような構造にすることは容易であるので、図２（ａ）には撮像ユニット側の電気接点ＩＴとカメラ本体側の電気接点ＢＴが単に接続されているということのみが示されている。
【００３４】
この撮像ユニットが回動されても撮像ユニットとカメラ本体との双方の電気接点の接触が保たれるようにする構造は、上記のようにスリップリングの技術を利用した構造であっても、またカメラ本体側が回動自在な接点部を有していて撮影ユニット１０がカメラ本体１１に装着されるまではその接点部が固定されていて撮像ユニット側の各接点がその接点部の各接点に係合されたときにその接点部が回動自在になって撮像ユニット１０の回動操作にしたがってその接点部が回動するような構造であっても良い。また図２には、撮像ユニット１０側から電気接点ＩＴ，ＢＴを介して送られてくる画像データを受け取るインターフェース回路が実装されているインターフェース基板１１３も図示されている。
【００３５】
最後に図２に示した制御基板１１４上に実装されている回路の構成と、撮像ユニットの姿勢がどのようにして検出されるかを説明しておく。
【００３６】
図３は、制御基板１１４上の回路構成を説明する図であり、図４は、本発明にいう姿勢検出部にあたるいくつかの孔１０１１によってどのようにして撮影ユニット１０の姿勢が検出されるかを説明する図である。図４（ａ）には図２（ｄ）に示した図と同じ図が示されており、図４（ｂ）にはセンサ部が拡大された図が示されており、ラインセンサの上部に幅の異なる各孔１０１１がそれぞれ示されている。なお、図３には、ＣＰＵ１１４０の制御の基、撮像ユニット１０側の撮像素子で生成された画像信号をインターフェース回路１１３１を介して受け取ってその画像信号を記録メディア１１４３に記録したり、画像表示部１１４２が備える表示画面上に画像信号に基づく画像を表示したりする画像処理部１１４１も図示されている。
【００３７】
図３に示すように、センサ１１Ａからの各孔１０１１の検出信号は制御基板１１４上のＣＰＵ１１４０に供給されている。この例ではそのセンサ１１Ａは、回動支持部１０１が備える各孔１０１１の幅を検出することができるラインセンサであってそのラインセンサ１１Ａによって各孔１０１１の幅の長さの違いが検出され検出された信号がＣＰＵ１１４０に供給される構成になっている。
【００３８】
撮像ユニット１０には、図２（ｄ）と同じ図である図４（ａ）に示すように撮像ユニット１０の回動範囲に対応するようにいくつかの姿勢検出用の孔１０１１が設けられていて、それらの孔１０１１は、センサ１１Ａに対向する位置に在る孔Ｈから図４（ａ）の左側に行くに従って幅広になるように設けられている。これらの孔１１０１は、図４（ｂ）に示すように回動されるにしたがって幅広あるいは幅狭になるため、ラインセンサ１１Ａによって回動の方向およびこれらの孔１０１１のうちのいずれかの孔の幅が検出されることとなる。
【００３９】
このようにしておくと、例えば、図２（ｂ）に示すように凸部１０２が凹部Ｐに係合する位置にあるところから凹部Ｑの位置まで撮像ユニットが回動されているときに、または撮像ユニットが逆方向に回動されているときにラインセンサ１１Ａにより次々と各孔の幅が検出されそれらの幅に対応する各検出信号がパルス状の信号となって回動操作に応じて順次ＣＰＵに供給されるようになる。ＣＰＵ１１４０は、センサ１１Ａから順次供給されてくる検出信号を受け取って回動操作されていることと撮像ユニットが回動操作されている方向との双方を検知するとともにその検出信号のパルス幅の長さによって撮像ユニットの姿勢を検出する。この姿勢検出結果が、撮像ユニットが装着されたときの姿勢のまま撮影が行なわれたか、撮像ユニットが９０度回動されて撮影が行なわれたかの結果として記録メディアに記録される。そうすると、再生時に縦撮り撮影が行なわれたか、横撮り撮影が行なわれたかが撮影装置やパーソナルコンピュータなどが備える画像処理部によってすぐに判別されるようになるため、その画像の向きに応じて様々な画像処理を行なうことができるようになる。
【００４０】
以上説明したように、撮影装置全体を回転させなくても撮像ユニットを回動するという簡単な操作で、縦撮り撮影、横撮り撮影を自在に行なうことができる撮影装置が実現する。
【図面の簡単な説明】
【００４１】
【図１】本発明の一実施形態である撮影装置１の外観を示す図である。
【図２】カメラ本体１１側の装着部１１１の構成の詳細を示す断面図である。
【図３】基板上の回路構成を説明する図である。
【図４】本発明にいう姿勢検出部にあたる多数の孔によってどのようにして撮影ユニット１０の姿勢が検出されるかを説明する図である。
【符号の説明】
【００４２】
１  撮影装置
１０    撮像ユニット
１０１    回動支持部
１０１１    多数の孔
Ｈ        最も幅狭の孔
１０２    凹部
Ｐ  Ｑ    凹部１０２の端部
１０３    クリック用孔
ＩＴ    接続用電気接点
１１    カメラ本体
１１Ａ    センサ（ラインセンサ）
１１１    装着部
１１２    凸部
１１３    インターフェース用基板
１１３１    インターフェース回路
１１４    制御基板
１１４０    ＣＰＵ
１１４１    画像処理部
１１４２    画像表示部
１１４３    記録メディア
ＢＴ  接続用電気接点
【図１】
2007134960.tif 000003
【図２】
2007134960.tif 000004
【図３】
2007134960.tif 000005
【図４】
2007134960.tif 000006